(57)【要約】  空気調和機（１）は、空気調和のための空気流が送り出される空間に居る人の体の状態を検出する検出部（１２）と、検出部（１２）による検出結果であるデータを記憶する記憶部（１４）と、を備える。空気調和機（１）は、空気流が送り出される空間に居る人の健康状態を診断する演算部である制御演算部（１３）と、健康状態の診断結果を送信する通信部（１５）と、を備える。演算部は、記憶部（１４）に記憶されたデータの統計処理によって、健康状態を診断する。
2020178909.tif 000002
【特許請求の範囲】
【請求項１】
空気調和のための空気流が送り出される空間に居る人の体の状態を検出する検出部と、
前記検出部による検出結果であるデータを記憶する記憶部と、
前記記憶部に記憶されたデータの統計処理によって、前記空間に居る人の健康状態を診断する演算部と、
前記健康状態の診断結果を送信する通信部と、
を備える空気調和機。
【請求項２】
前記演算部は、前記記憶部に記憶されたデータの統計処理によって、前記空間に居る人を識別する請求項１に記載の空気調和機。
【請求項３】
前記演算部は、前記識別された人のうち健康管理補助の対象としてあらかじめ登録された対象ユーザについて前記記憶部に記憶されているデータを統計処理することによって、前記対象ユーザの健康状態を診断する請求項２に記載の空気調和機。
【請求項４】
前記演算部は、現在の前記検出結果であるデータをあらかじめ設定された基準値と比較することによって前記対象ユーザの健康状態を診断し、かつ、前記対象ユーザについて現在検出されたデータと前記対象ユーザについて過去に検出されたデータとに基づいて前記基準値を補正する請求項３に記載の空気調和機。
【請求項５】
前記演算部は、前記識別された人のうち前記対象ユーザ以外の人である対象外ユーザについて前記検出部によって検出されたデータに基づいて前記基準値を補正する請求項４に記載の空気調和機。
【請求項６】
前記演算部は、空気調和に伴う前記対象ユーザの温度分布の変化を検出した結果に基づいて前記対象ユーザの発熱量を推定して、前記発熱量の推定結果に基づいて前記対象ユーザの健康状態を診断する請求項３から５のいずれか１つに記載の空気調和機。
【請求項７】
前記記憶部は、前記対象ユーザの体に関する情報である基本情報を記憶する請求項３から６のいずれか１つに記載の空気調和機。
【請求項８】
空気調和のための空気流が送り出される空間に居る人の体の状態を検出する検出部と、
前記検出部による検出結果であるデータを記憶する記憶部と、
前記記憶部に記憶されたデータの統計処理によって、前記空間に居る人の健康状態を診断する演算部と、
前記健康状態の診断結果を送信する通信部と、
を備える健康管理補助システム。
【発明の詳細な説明】
【技術分野】
【０００１】
本発明は、人の状態を検出して空気調和を行う空気調和機および健康管理補助システムに関する。
【背景技術】
【０００２】
室内の空気調和を行う空気調和機には、室内の快適さを向上させるために、室内に居る人から取得した情報に基づいて空調の制御を行うものが知られている。また、室内に居る個人を識別して、個人の体の状態についての状態量を検出することによって、個人に適した空調の制御を行う空気調和機も知られている。【０００３】
特許文献１には、赤外線カメラによって得られた熱分布情報に基づいて室内に居る個人の識別と各個人の消費熱量の算出とを行う空気調和機が開示されている。特許文献１にかかる空気調和機は、消費熱量の測定対象とされた人物による操作にしたがって、消費熱量の算出結果を出力する。
【先行技術文献】
【特許文献】
【０００４】
【特許文献１】特開２０１３−２２８１７４号公報
【発明の概要】
【発明が解決しようとする課題】
【０００５】
従来の一般的な空気調和機では、空気調和機に備えられているセンサによって取得されたデータは、空調の制御にのみ使用されている。このため、従来の技術では、個人の体温分布あるいは体温の時間変化といった人の健康状態の診断に有用な情報が、健康管理の補助のために活用されていなかった。上記特許文献１にかかる従来の空気調和機では、消費熱量の算出結果を出力する一方で、かかる算出結果の活用による健康管理の補助は行われていない。このように、従来の空気調和機は、空気調和機に内蔵されているセンサによって取得された情報が、健康管理の補助には活用されていなかった。【０００６】
本発明は、上記に鑑みてなされたものであって、空気調和機に内蔵されているセンサによって取得された情報を活用することによる健康管理の補助を可能とする空気調和機を得ることを目的とする。
【課題を解決するための手段】
【０００７】
上述した課題を解決し、目的を達成するために、本発明に係る空気調和機は、空気調和のための空気流が送り出される空間に居る人の体の状態を検出する検出部と、検出部による検出結果であるデータを記憶する記憶部と、記憶部に記憶されたデータの統計処理によって、空間に居る人の健康状態を診断する演算部と、健康状態の診断結果を送信する通信部と、を備える。
【発明の効果】
【０００８】
本発明に係る空気調和機は、空気調和機に内蔵されているセンサによって取得された情報を活用することによる健康管理の補助が可能となるという効果を奏する。
【図面の簡単な説明】
【０００９】
【図１】本発明の実施の形態１にかかる空気調和機、ならびに空気調和機と通信可能なユーザ端末を示すブロック図
【図２】図１に示す空気調和機とユーザ端末とを有する健康管理補助システムによる動作手順を示すフローチャート
【図３】図１に示す空気調和機とユーザ端末とを有する健康管理補助システムによる動作手順を示すフローチャート
【図４】実施の形態１にかかる空気調和機が有する処理装置のハードウェア構成の例を示す第１の図
【図５】実施の形態１にかかる空気調和機が有する処理装置のハードウェア構成の例を示す第２の図
【図６】本発明の実施の形態２にかかる空気調和機、ならびに空気調和機と通信可能なユーザ端末による動作手順を示すフローチャート
【図７】本発明の実施の形態３にかかる健康管理補助システムを示すブロック図
【図８】図７に示す健康管理補助システムによる動作手順を示すフローチャート
【図９】図７に示す健康管理補助システムによる動作手順を示すフローチャート
【発明を実施するための形態】
【００１０】
以下に、本発明の実施の形態に係る空気調和機および健康管理補助システムを図面に基づいて詳細に説明する。なお、この実施の形態によりこの発明が限定されるものではない。
【００１１】
実施の形態１．
図１は、本発明の実施の形態１にかかる空気調和機、ならびに空気調和機と通信可能なユーザ端末を示すブロック図である。図１には、空気調和機１が有する機能構成とユーザ端末２０が有する機能構成とを示している。空気調和機１は、空気調和のための空気流を室内空間へ送り出すことによって、室内空間の温度と湿度とを調整する。実施の形態１において、室内空間は、住宅の屋内における空間とする。室内空間は、住宅以外の建築物の屋内における空間であっても良い。なお、実施の形態１において、空気調和機１とユーザ端末２０との組み合わせを、健康管理補助システムと称することがある。
【００１２】
空気調和機１は、空気調和機１の制御と健康管理の補助ための処理とを担う処理装置１０と、空気調和のための空気流を室内空間へ送り出す空調部１１と、室内空間に居る人を検出するとともに室内空間に居る人の体の状態を検出する検出部１２とを有する。
【００１３】
空調部１１は、空気流を送り出すためのファンを駆動するファンモータ１７と、ファンから送り出される空気流の向きを調整する風向調整機構１６とを有する。また、空調部１１は、室内温度が目標温度となるように冷房、送風、除湿および暖房といった運転モードの切り換えを行う。図１では、ファンと、各運転モードによる空調のための要素との図示を省略している。
【００１４】
検出部１２は、室内空間における温度分布を検出する赤外線センサ１８を有する。赤外線センサ１８は、室内空間の温度分布から人の体温を認識することによって、室内空間に居る人を検出する。また、赤外線センサ１８は、検出された人について表面温度の分布を検出する。赤外線センサ１８は、人の体の状態についての状態量の１つである体温を検出する。赤外線センサ１８は、温度分布の検出結果を処理装置１０へ出力する。
【００１５】
なお、検出部１２は、赤外線センサ１８以外のセンサを有していても良い。検出部１２には、室内空間における温度分布あるいは熱分布を検出可能な赤外線センサ１８以外のセンサが備えられていても良い。検出部１２に備えられるセンサは、室内に居る人の体の状態についての状態量を空気調和機１の位置において検出可能なセンサであれば良く、温度分布あるいは熱分布を検出するセンサ以外のセンサであっても良い。
【００１６】
処理装置１０は、制御と演算とを担う制御演算部１３と、情報を記憶する記憶部１４と、外部機器との通信を行う通信部１５とを有する。空気調和機１は、制御演算部１３による風向調整機構１６とファンモータ１７との制御によって空気流の向きと風量とが調整される。空気調和機１は、制御演算部１３による制御によって、冷房、送風、除湿および暖房の切り換えを行う。記憶部１４は、検出部１２による検出結果であるデータを記憶する。制御演算部１３は、記憶部１４から読み出されたデータの統計処理によって人の健康状態を診断する演算部として機能する。通信部１５は、健康状態の診断結果をユーザ端末２０へ送信する。
【００１７】
ユーザ端末２０は、対象ユーザによって利用される端末であって、通信機能を有する情報処理端末である。対象ユーザとは、空気調和機１による健康管理補助の対象となっているユーザである。ユーザ端末２０は、スマートフォンまたはタブレット端末などである。ユーザ端末２０は、外部機器との通信を行う通信部２１と、各種情報を表示する表示部２２とを有する。空気調和機１の通信部１５とユーザ端末２０の通信部２１とは、ネットワークを介して通信可能に接続される。ネットワークは、インターネットあるいはＬＡＮ（Local  Area  Network）といった通信網である。通信部２１は、空気調和機１の通信部１５によって送信された診断結果を受信する。表示部２２は、受信された診断結果を表示する。
【００１８】
空気調和機１は、検出部１２によって検出された温度分布に基づいて、風量制御、風向制御ならびに運転モードの切り換えといった空調制御を行う。また、空気調和機１は、検出部１２による検出結果であるデータを記憶部１４に蓄積する。空気調和機１は、記憶部１４に蓄積されたデータを活用することによって対象ユーザの健康状態を診断して、対象ユーザの健康管理を補助する。健康管理機能は、検出データに基づいて対象ユーザの健康状態を診断して診断結果をユーザ端末２０へ出力する機能であって、対象ユーザの健康管理を補助する機能である。
【００１９】
次に、空気調和機１とユーザ端末２０とによる健康管理の補助のための動作について説明する。図２および図３は、図１に示す空気調和機とユーザ端末とを有する健康管理補助システムによる動作手順を示すフローチャートである。
【００２０】
ステップＳ１において、検出部１２は、室内空間に居る人と、室内空間に居る人の体の状態とを検出する。検出部１２は、空気調和機１が稼動中であるか空気調和機１が待機状態であるかに関わらず、検出を行う。検出部１２は、人を検出した結果と、人の体の状態を検出した結果とを処理装置１０へ出力する。記憶部１４は、検出部１２による検出結果を記憶する。
【００２１】
ステップＳ２において、制御演算部１３は、ステップＳ１にて取得されたデータに基づいて、検出された人の中からユーザを識別する。ユーザとは、その人について検出部１２による過去の検出によって取得された情報が記憶部１４に記憶されている人を指すものとする。記憶部１４には、ユーザの体温分布の情報およびユーザの体格の情報など、赤外線センサ１８による検出結果に基づいて取得されたユーザごとの情報が記憶されている。以下の説明にて、記憶部１４に記憶されているユーザごとの情報を、ユーザ情報と称することがある。また、室内空間に居る人の体の状態を検出することによって取得されたデータを検出データと称することがある。
【００２２】
制御演算部１３は、検出データとユーザ情報との統計処理を行い、検出データとの相似性が高いユーザ情報を、記憶部１４に記憶されている複数のユーザ情報の中から特定する。制御演算部１３は、ステップＳ１において検出された人のうちユーザ情報が特定された人を、特定されたユーザ情報にかかるユーザであると識別する。なお、ユーザには、上記の対象ユーザと、空気調和機１による健康管理補助の対象外であるユーザとが含まれる。以下の説明にて、空気調和機１による健康管理補助の対象外であるユーザを対象外ユーザと称することがある。
【００２３】
ステップＳ３において、記憶部１４は、ステップＳ２においてユーザであると識別された人についての検出データを記憶する。このようにして、処理装置１０は、検出データを記憶部１４に蓄積する。なお、ステップＳ１において検出された人の中に、ステップＳ２において相似性が高いユーザ情報が特定されなかった人が含まれている場合、当該人についての検出データは、新規のユーザについての検出データとして記憶部１４に記憶される。
【００２４】
ステップＳ４において、制御演算部１３は、空気調和機１による健康管理機能がオンになっているか否かを判断する。健康管理機能がオフである場合（ステップＳ４，Ｎｏ）、制御演算部１３は、健康管理の補助のためのステップＳ５以降の処理を行わず、空調制御のみを行う。
【００２５】
一方、健康管理機能がオンである場合（ステップＳ４，Ｙｅｓ）、ステップＳ５において、制御演算部１３は、ステップＳ２において識別されたユーザの中に対象ユーザがいるか否かを判断する。記憶部１４にユーザ情報が記憶されているユーザは、空気調和機１への操作によって、対象ユーザとして登録される。空気調和機１は、ユーザによる当該登録のための操作を受け付ける。制御演算部１３は、対象ユーザとしての登録の有無に基づいて、対象ユーザが否かを判断する。ステップＳ２において識別されたユーザの中に対象ユーザがいない場合（ステップＳ５，Ｎｏ）、制御演算部１３は、健康管理の補助のためのステップＳ６以降の処理を行わず、空調制御のみを行う。
【００２６】
一方、ステップＳ２において識別されたユーザの中に対象ユーザがいる場合（ステップＳ５，Ｙｅｓ）、ステップＳ６において、制御演算部１３は、当該対象ユーザの基本情報が記憶部１４に記憶されているか否かを判断する。基本情報は、性別、身長、体重および年齢といった、対象ユーザの体に関する情報である。対象ユーザは、空気調和機１への操作によって、基本情報を空気調和機１へ登録することができる。空気調和機１は、ユーザによる当該登録のための操作を受け付けて、入力された基本情報を記憶部１４へ記憶する。空気調和機１は、基本情報を参照して対象ユーザの健康状態を診断することによって、診断精度を高めることができる。
【００２７】
当該対象ユーザの基本情報が記憶されている場合（ステップＳ６，Ｙｅｓ）、ステップＳ７において、制御演算部１３は、記憶されている基本情報を基に、当該対象ユーザについての基準値を設定する。基準値は、当該対象ユーザの現在の健康状態の判断における基準とされる値である。基準値は、健康状態が良好であると判断可能な数値範囲を画定するための閾値である。例を挙げると、検出された体温による健康状態の判断が行われる場合において、基準値は、発熱の有無の判断における基準とされる体温の値である。記憶部１４には、性別、身長、体重あるいは年齢といった条件ごとの基準値が記憶されている。制御演算部１３は、かかる条件ごとの基準値の中から当該対象ユーザの基本情報に該当する基準値を読み出して、読み出された基準値を設定する。
【００２８】
一方、当該対象ユーザの基本情報が記憶されていない場合（ステップＳ６，Ｎｏ）、ステップＳ８において、制御演算部１３は、当該対象ユーザについての基準値に一般値を設定する。一般値は、性別、身長、体重あるいは年齢といった条件に関わらず健康状態の判断に使用され得る値である。一般値は、記憶部１４に記憶されている。制御演算部１３は、一般値を読み出して、読み出された一般値を基準値に設定する。
【００２９】
ステップＳ９では、制御演算部１３は、当該対象ユーザについての過去の検出データが記憶部１４に記憶されているか否かを判断する。過去の検出データが記憶されている場合（ステップＳ９，Ｙｅｓ）、ステップＳ１０において、制御演算部１３は、過去の検出データを基に当該対象ユーザについての基準値を補正する。例として人体の温度分布を挙げると、温度分布には、個人ごとの筋肉量あるいは体格などの違いによるばらつきが生じる。制御演算部１３は、当該対象ユーザの個人的な温度分布の傾向を過去の検出データの統計処理によって求めることによって、温度分布についての基準値を補正する。制御演算部１３は、温度分布以外についても、温度分布の場合と同様に基準値を補正する。空気調和機１は、ステップＳ１０による補正を行った後、手順をステップＳ１１へ進める。一方、当該対象ユーザについての過去の検出データが記憶されていない場合（ステップＳ９，Ｎｏ）、空気調和機１は、ステップＳ１０をスキップして、次に述べるステップＳ１１へ手順を進める。このように、空気調和機１は、対象ユーザについての検出データを蓄積しておくことによって、当該対象ユーザについての健康状態の診断に検出データを活用する。
【００３０】
ステップＳ１１において、制御演算部１３は、ステップＳ１において取得された検出データの中に対象外ユーザについての検出データがあるか否かを判断する。対象外ユーザについての検出データがある場合（ステップＳ１１，Ｙｅｓ）、ステップＳ１２において、制御演算部１３は、当該対象外ユーザについての過去の検出データが記憶部１４に記憶されているか否かを判断する。一方、対象外ユーザについての検出データがない場合（ステップＳ１１，Ｎｏ）、空気調和機１は、ステップＳ１２と後述するステップＳ１３およびステップＳ１４をスキップして、後述するステップＳ１５へ手順を進める。
【００３１】
当該対象外ユーザについての過去の検出データが記憶されている場合（ステップＳ１２，Ｙｅｓ）、ステップＳ１３において、制御演算部１３は、当該対象外ユーザについての現在の検出データと過去の検出データとに基づいて検出誤差を推定する。また、制御演算部１３は、推定された検出誤差に基づいて、上記の対象ユーザについての基準値を補正する。
【００３２】
人体の温度分布の場合を例とすると、温度分布には、現在の周囲環境によるばらつき、ならびに現在よりも前における周囲環境の変化によるばらつきが生じる。また、赤外線センサ１８によって検出される温度分布には、赤外線センサ１８の感度のばらつきといった要因による測定誤差によってもばらつきが生じる。検出誤差とは、このような人の状態以外の要因によって、人の状態の検出結果に生じる誤差とする。制御演算部１３は、当該対象外ユーザについての現在の検出データと過去の検出データとの統計処理によって、現在および過去の状況に起因する検出誤差を推定する。このように、空気調和機１は、対象外ユーザについての検出データを蓄積しておくことによって、対象外ユーザについての検出データを検出誤差の推定に活用する。
【００３３】
一方、当該対象外ユーザについての過去の検出データが記憶されていない場合（ステップＳ１２，Ｎｏ）、ステップＳ１４において、制御演算部１３は、当該対象外ユーザについての現在の検出データに基づいて検出誤差を推定する。また、制御演算部１３は、推定された検出誤差に基づいて、上記の対象ユーザについての基準値を補正する。制御演算部１３は、当該対象外ユーザについての現在の検出データに基づいて、現在の状況に起因する検出誤差を推定する。
【００３４】
空気調和機１は、上記対象ユーザについての基準値の補正を終えると、ステップＳ１５へ手順を進める。なお、上述するように、現在の対象外ユーザについての検出データがない場合（ステップＳ１１，Ｎｏ）には、空気調和機１は、ステップＳ１２からステップＳ１４をスキップすることにより、対象外ユーザについての検出データに基づく基準値の補正を行わない。
【００３５】
ステップＳ１５において、制御演算部１３は、上記対象ユーザについての現在の検出データは基準値の範囲内か否かを判断する。現在の検出データが基準値の範囲内である場合（ステップＳ１５，Ｙｅｓ）、ステップＳ１６において、制御演算部１３は、当該対象ユーザの健康状態を良好と診断する。一方、現在の検出データが基準値の範囲内ではない場合（ステップＳ１５，Ｎｏ）、ステップＳ１７において、制御演算部１３は、当該対象ユーザの健康状態を不良と診断する。ステップＳ１８において、記憶部１４は、ステップＳ１６による診断結果またはステップＳ１７による診断結果を記憶する。
【００３６】
ステップＳ１９において、通信部１５は、ステップＳ１８において記憶された診断結果を、ユーザ端末２０へ送信する。対象ユーザは、空気調和機１への操作によって、診断結果の送信先であるユーザ端末２０を空気調和機１へ登録することができる。空気調和機１は、ユーザによる当該登録のための操作を受け付けて、送信先のメールアドレスを記憶部１４へ記憶する。通信部１５は、健康状態の診断が行われた当該対象ユーザについて、あらかじめ登録されているユーザ端末２０へ診断結果を送信する。
【００３７】
ユーザ端末２０の通信部２１は、送信された診断結果を受信する。ステップＳ２０において、表示部２２は、通信部２１によって受信された診断結果を表示する。以上により、空気調和機１とユーザ端末２０とは、図２および図３に示す手順による動作を終了する。
【００３８】
空気調和機１は、健康管理機能のためのウェアラブルセンサを使用せずに対象ユーザの健康状態を診断可能とする。対象ユーザはウェアラブルセンサを装着しなくても、健康管理の補助を受けることができる。空気調和機１は、ウェアラブルセンサが不要であることによって、簡易な装備により対象ユーザの健康状態を診断することができる。
【００３９】
次に、処理装置１０が有するハードウェア構成について説明する。処理装置１０が有する制御演算部１３の機能は、処理回路を使用して実現される。処理回路は、処理装置１０に搭載される専用のハードウェアである。処理回路は、メモリに格納されるプログラムを実行するプロセッサであっても良い。
【００４０】
図４は、実施の形態１にかかる空気調和機が有する処理装置のハードウェア構成の例を示す第１の図である。図４には、専用のハードウェアを使用することによって制御演算部１３の機能が実現される場合におけるハードウェア構成を示している。処理装置１０は、各種処理を実行する処理回路３０と、処理装置１０の外部の機器との接続インタフェースである入出力インタフェース３１と、各種情報を記憶する記憶装置３２と、処理装置１０の外部の機器との通信を担う通信インタフェース３３とを備える。図４に示す各構成要素は、バスを介して相互に接続されている。
【００４１】
専用のハードウェアである処理回路３０は、単一回路、複合回路、プログラム化されたプロセッサ、並列プログラム化したプロセッサ、ＡＳＩＣ（Application  Specific  Integrated  Circuit）、ＦＰＧＡ（Field-Programmable  Gate  Array）、又はこれらの組み合わせである。制御演算部１３の機能は、処理回路３０を用いて実現される。
【００４２】
入出力インタフェース３１は、検出部１２からの検出結果の入力、ならびに空調部１１への制御信号の出力などを担う。記憶装置３２は、ＨＤＤ（Hard  Disk  Drive）あるいはＳＳＤ（Solid  State  Drive）である。記憶部１４の機能は、記憶装置３２を使用して実現される。通信部１５の機能は、通信インタフェース３３を使用して実現される。
【００４３】
図５は、実施の形態１にかかる空気調和機が有する処理装置のハードウェア構成の例を示す第２の図である。図５には、プログラムを実行するハードウェアを用いることによって制御演算部１３の機能が実現される場合におけるハードウェア構成を示している。プロセッサ３４およびメモリ３５は、入出力インタフェース３１、記憶装置３２および通信インタフェース３３と相互に接続されている。
【００４４】
プロセッサ３４は、ＣＰＵ（Central  Processing  Unit）、処理装置、演算装置、マイクロプロセッサ、マイクロコンピュータ、又はＤＳＰ（Digital  Signal  Processor）である。制御演算部１３の機能は、プロセッサ３４と、ソフトウェア、ファームウェア、またはソフトウェアとファームウェアとの組み合わせによって実現される。ソフトウェアまたはファームウェアは、プログラムとして記述され、内蔵メモリであるメモリ３５に格納される。メモリ３５は、不揮発性もしくは揮発性の半導体メモリであって、ＲＡＭ（Random  Access  Memory）、ＲＯＭ（Read  Only  Memory）、フラッシュメモリ、ＥＰＲＯＭ（Erasable  Programmable  Read  Only  Memory）またはＥＥＰＲＯＭ（登録商標）（Electrically  Erasable  Programmable  Read  Only  Memory）である。
【００４５】
実施の形態１によると、空気調和機１は、室内空間に居る人の体の状態をセンサによって検出した結果を記憶し、記憶されたデータの統計処理によって人の健康状態を診断する。これにより、空気調和機１は、空気調和機１に内蔵されているセンサによって取得された情報を活用することによる健康管理の補助が可能となるというという効果を奏する。
【００４６】
実施の形態２．
図６は、本発明の実施の形態２にかかる空気調和機、ならびに空気調和機と通信可能なユーザ端末による動作手順を示すフローチャートである。実施の形態２にかかる空気調和機１は、空気調和に伴う対象ユーザの温度分布の変化を検出した結果に基づいて対象ユーザの発熱量を推定して、発熱量の推定結果に基づいて対象ユーザの健康状態を診断する。実施の形態２にかかる空気調和機１は、図１に示す空気調和機１と同様の構成を有する。実施の形態２では、実施の形態１とは異なる動作手順について主に説明する。
【００４７】
実施の形態２において、空気調和機１は、図２および図３に示すステップＳ１からステップＳ１４と同じ手順で動作する。空気調和機１は、ステップＳ１３またはステップＳ１４の動作を終えると、ステップＳ２１へ手順を進める。なお、図６では、ステップＳ１からステップＳ１０の図示を省略している。
【００４８】
ステップＳ２１において、空気調和機１は、室内空間に居る対象ユーザに対して風除けあるいは風当てといった任意の空気調和を実施する。ステップＳ２２において、赤外線センサ１８は、当該対象ユーザの温度分布を検出することによって、当該対象ユーザの体温変化を測定する。ステップＳ２１における空気調和によって、当該対象ユーザの温度分布は時間の経過に伴って変化する。
【００４９】
ステップＳ２３において、制御演算部１３は、ステップＳ２２における測定結果である検出データに基づいて、当該対象ユーザの発熱量を推定する。制御演算部１３は、空気調和による空気流の温度の変化に対する当該対象ユーザの温度分布の変化の度合いに基づいて発熱量を推定する。
【００５０】
ステップＳ２４において、制御演算部１３は、当該対象ユーザについての現在の検出データと発熱量とは基準値の範囲内か否かを判断する。制御演算部１３は、発熱量についての基準値とステップＳ２３における推定値とを比較することによって、現在の発熱量が基準値の範囲内か否かを判断する。発熱量についての基準値は、実施の形態１の基準値と同様に設定される。
【００５１】
現在の検出データと発熱量との双方が基準値の範囲内である場合（ステップＳ２４，Ｙｅｓ）、空気調和機１は、ステップＳ１６へ手順を進める。一方、現在の検出データと発熱量とのうちの少なくとも一方が基準値の範囲内ではない場合（ステップＳ２４，Ｎｏ）、空気調和機１は、ステップＳ１７へ手順を進める。その後、空気調和機１およびユーザ端末２０は、図３に示すステップＳ１８からステップＳ２０と同じ手順で動作する。
【００５２】
実施の形態２によると、空気調和機１は、空気調和による対象ユーザの体温変化を測定した結果に基づいて発熱量を推定する。これにより、空気調和機１は、対象ユーザの健康状態を精度良く診断することができる。
【００５３】
実施の形態３．
図７は、本発明の実施の形態３にかかる健康管理補助システムを示すブロック図である。健康管理補助システム１００は、空気調和機４０と、外部サーバであるサーバ装置５０と、ユーザ端末２０とを有する。実施の形態３では、図１に示す制御演算部１３の機能のうち健康管理補助のための演算機能と、図１に示す記憶部１４の機能とが、サーバ装置５０に備えられている。実施の形態３では、上記の実施の形態１および２と同一の構成要素には同一の符号を付し、実施の形態１および２とは異なる構成について主に説明する。
【００５４】
空気調和機４０には、図１に示す制御演算部１３に代えて、制御部４１が設けられている。制御部４１は、空気調和機１の空調制御を行う。また、空気調和機４０は、空調部１１と検出部１２と通信部１５とを有する。健康管理補助システム１００には、従来と同様の構成を有する空気調和機４０を使用することができる。
【００５５】
サーバ装置５０は、健康管理補助のための演算機能を有する演算部５１と、検出データを記憶する記憶部５２と、健康状態の診断結果を送信する通信部５３とを有する。空気調和機４０の通信部１５とサーバ装置５０の通信部５３とは、ネットワークを介して通信可能に接続される。サーバ装置５０の通信部５３とユーザ端末２０の通信部２１とは、ネットワークを介して通信可能に接続される。ネットワークは、インターネットあるいはＬＡＮといった通信網である。
【００５６】
通信部１５は、検出部１２による検出によって得られた検出データをサーバ装置５０へ送信する。通信部５３は、通信部１５によって送信された検出データを受信する、記憶部５２は、通信部５３によって受信された検出データを記憶する。演算部５１は、記憶部５２から読み出された検出データの統計処理によって人の健康状態を診断する。通信部５３は、健康状態の診断結果をユーザ端末２０へ送信する。通信部２１は、通信部５３によって送信された診断結果を受信する。
【００５７】
健康管理補助システム１００は、検出データを記憶部５２に蓄積する。健康管理補助システム１００は、記憶部５２に蓄積された検出データを活用することによって対象ユーザの健康状態を診断して、対象ユーザの健康管理を補助する。
【００５８】
次に、健康管理補助システム１００による健康管理の補助のための動作について説明する。図８および図９は、図７に示す健康管理補助システムによる動作手順を示すフローチャートである。
【００５９】
ステップＳ１において検出部１２が室内空間に居る人と室内空間に居る人の体の状態とを検出すると、ステップＳ３１において、通信部１５は、サーバ装置５０へ検出データを送信する。通信部５３は、通信部１５によって送信された検出データを受信する。
【００６０】
ステップＳ２において、演算部５１は、ステップＳ３１にて取得された検出データに基づいて、検出された人の中からユーザを識別する。ステップＳ３において、記憶部５２は、ステップＳ２においてユーザであると識別された人についての検出データを記憶する。このようにして、サーバ装置５０は、検出データを記憶部５２に蓄積する。
【００６１】
ステップＳ４において、演算部５１は、健康管理補助システム１００による健康管理機能がオンになっているか否かを判断する。健康管理機能がオフである場合（ステップＳ４，Ｎｏ）、健康管理補助システム１００は、健康管理の補助のためのステップＳ５以降の処理を行わず、空気調和機４０による空調制御のみを行う。
【００６２】
一方、健康管理機能がオンである場合（ステップＳ４，Ｙｅｓ）、ステップＳ５において、演算部５１は、ステップＳ２において識別されたユーザの中に対象ユーザがいるか否かを判断する。記憶部５２にユーザ情報が記憶されているユーザは、サーバ装置５０への操作によって、対象ユーザとして登録される。サーバ装置５０は、ユーザによる当該登録のための操作を受け付ける。演算部５１は、対象ユーザとしての登録の有無に基づいて、対象ユーザが否かを判断する。ステップＳ２において識別されたユーザの中に対象ユーザがいない場合（ステップＳ５，Ｎｏ）、健康管理補助システム１００は、健康管理の補助のためのステップＳ６以降の処理を行わず、空気調和機４０による空調制御のみを行う。
【００６３】
一方、ステップＳ２において識別されたユーザの中に対象ユーザがいる場合（ステップＳ５，Ｙｅｓ）、ステップＳ６において、演算部５１は、当該対象ユーザの基本情報が記憶部５２に記憶されているか否かを判断する。対象ユーザは、サーバ装置５０への操作によって、基本情報をサーバ装置５０へ登録することができる。サーバ装置５０は、ユーザによる当該登録のための操作を受け付けて、入力された基本情報を記憶部５２へ記憶する。
【００６４】
当該対象ユーザの基本情報が記憶されている場合（ステップＳ６，Ｙｅｓ）、ステップＳ７において、演算部５１は、記憶されている基本情報を基に、当該対象ユーザについての基準値を設定する。一方、当該対象ユーザの基本情報が記憶されていない場合（ステップＳ６，Ｎｏ）、ステップＳ８において、演算部５１は、当該対象ユーザについての基準値に一般値を設定する。
【００６５】
ステップＳ９では、演算部５１は、当該対象ユーザについての過去の検出データが記憶部５２に記憶されているか否かを判断する。過去の検出データが記憶されている場合（ステップＳ９，Ｙｅｓ）、ステップＳ１０において、演算部５１は、過去の検出データを基に当該対象ユーザについての基準値を補正する。健康管理補助システム１００は、ステップＳ１０による補正を行った後、手順をステップＳ１１へ進める。一方、当該対象ユーザについての過去の検出データが記憶されていない場合（ステップＳ９，Ｎｏ）、健康管理補助システム１００は、ステップＳ１０をスキップして、次に述べるステップＳ１１へ手順を進める。このように、健康管理補助システム１００は、対象ユーザについての検出データをサーバ装置５０に蓄積しておくことによって、当該対象ユーザについての健康状態の診断に検出データを活用する。
【００６６】
ステップＳ１１において、演算部５１は、ステップＳ１において取得された検出データの中に対象外ユーザについての検出データがあるか否かを判断する。対象外ユーザについての検出データがある場合（ステップＳ１１，Ｙｅｓ）、ステップＳ１２において、演算部５１は、当該対象外ユーザについての過去の検出データが記憶部５２に記憶されているか否かを判断する。一方、対象外ユーザについての検出データがない場合（ステップＳ１１，Ｎｏ）、健康管理補助システム１００は、ステップＳ１２と後述するステップＳ１３およびステップＳ１４をスキップして、後述するステップＳ３２へ手順を進める。
【００６７】
当該対象外ユーザについての過去の検出データが記憶されている場合（ステップＳ１２，Ｙｅｓ）、ステップＳ１３において、演算部５１は、当該対象外ユーザについての現在の検出データと過去の検出データとに基づいて検出誤差を推定する。また、演算部５１は、推定された検出誤差に基づいて、上記の対象ユーザについての基準値を補正する。一方、当該対象外ユーザについての過去の検出データが記憶されていない場合（ステップＳ１２，Ｎｏ）、ステップＳ１４において、演算部５１は、当該対象外ユーザについての現在の検出データに基づいて検出誤差を推定する。また、演算部５１は、推定された検出誤差に基づいて、上記の対象ユーザについての基準値を補正する。健康管理補助システム１００は、上記対象ユーザについての基準値の補正を終えると、ステップＳ３２へ手順を進める。
【００６８】
ステップＳ３２において、演算部５１は、室内空間に居る対象ユーザに対して風除けあるいは風当てといった任意の空気調和を空気調和機４０に行わせるための空気調和指令を出力する。ステップＳ３３において、通信部５３は、ステップＳ３２において出力された空気調和指令を空気調和機４０へ送信する。通信部１５は、通信部５３によって送信された空気調和指令を受信する。
【００６９】
ステップＳ３４において、制御部４１は、通信部１５によって受信された空気調和指令にしたがって、対象ユーザに対し任意の空気調和を実施する。また、ステップＳ３４において、赤外線センサ１８は、当該対象ユーザの温度分布を検出することによって、当該対象ユーザの体温変化を測定する。ステップＳ３５において、通信部１５は、体温変化の測定結果である検出データをサーバ装置５０へ送信する。通信部５３は、通信部１５によって送信された検出データを受信する。
【００７０】
ステップＳ２３において、演算部５１は、受信された検出データに基づいて、当該対象ユーザの発熱量を推定する。演算部５１は、空気調和による空気流の温度の変化に対する当該対象ユーザの温度分布の変化の度合いに基づいて発熱量を推定する。ステップＳ２４において、演算部５１は、当該対象ユーザについての現在の検出データと発熱量とは基準値の範囲内か否かを判断する。
【００７１】
現在の検出データと発熱量との双方が基準値の範囲内である場合（ステップＳ２４，Ｙｅｓ）、ステップＳ１６において、演算部５１は、当該対象ユーザの健康状態を良好と診断する。一方、現在の検出データが基準値の範囲内ではない場合（ステップＳ２４，Ｎｏ）、ステップＳ１７において、演算部５１は、当該対象ユーザの健康状態を不良と診断する。ステップＳ１８において、記憶部５２は、ステップＳ１６による診断結果またはステップＳ１７による診断結果を記憶する。
【００７２】
ステップＳ１９において、通信部５３は、ステップＳ１８において記憶された診断結果を、ユーザ端末２０へ送信する。対象ユーザは、サーバ装置５０への操作によって、診断結果の送信先であるユーザ端末２０をサーバ装置５０へ登録することができる。サーバ装置５０は、ユーザによる当該登録のための操作を受け付けて、送信先のメールアドレスを記憶部５２へ記憶する。通信部５３は、健康状態の診断が行われた当該対象ユーザについて、あらかじめ登録されているユーザ端末２０へ診断結果を送信する。
【００７３】
ユーザ端末２０の通信部２１は、送信された診断結果を受信する。ステップＳ２０において、表示部２２は、通信部２１によって受信された診断結果を表示する。以上により、健康管理補助システム１００は、図８および図９に示す手順による動作を終了する。なお、実施の形態３において、健康管理補助システム１００は、健康管理の補助のための動作として、実施の形態２にかかる空気調和機１と同様の動作を行う。健康管理補助システム１００は、健康管理の補助のための動作として、実施の形態１にかかる健康管理補助システムと同様の動作を行っても良い。
【００７４】
サーバ装置５０が有する演算部５１の機能は、実施の形態１の制御演算部１３の機能と同様に、処理回路を使用して実現される。処理回路は、メモリに格納されるプログラムを実行するプロセッサであっても良い。演算部５１の機能は、図４に示す処理回路３０によって実現される。または、演算部５１の機能は、図５に示すプロセッサ３４と、ソフトウェア、ファームウェア、またはソフトウェアとファームウェアとの組み合わせによって実現される。記憶部５２の機能は、記憶装置３２を使用して実現される。通信部５３の機能は、通信インタフェース３３を使用して実現される。
【００７５】
実施の形態３によると、健康管理補助システム１００は、室内空間に居る人の体の状態をセンサによって検出した結果を記憶し、記憶されたデータの統計処理によって人の健康状態を診断する。これにより、健康管理補助システム１００は、空気調和機４０に内蔵されているセンサによって取得された情報を活用することによる健康管理の補助が可能となるというという効果を奏する。
【００７６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７７】
１，４０  空気調和機、１０  処理装置、１１  空調部、１２  検出部、１３  制御演算部、１４，５２  記憶部、１５，２１，５３  通信部、１６  風向調整機構、１７  ファンモータ、１８  赤外線センサ、２０  ユーザ端末、２２  表示部、３０  処理回路、３１  入出力インタフェース、３２  記憶装置、３３  通信インタフェース、３４  プロセッサ、３５  メモリ、４１  制御部、５０  サーバ装置、５１  演算部、１００  健康管理補助システム。
【図１】
2020178909.tif 000003
【図２】
2020178909.tif 000004
【図３】
2020178909.tif 000005
【図４】
2020178909.tif 000006
【図５】
2020178909.tif 000007
【図６】
2020178909.tif 000008
【図７】
2020178909.tif 000009
【図８】
2020178909.tif 000010
【図９】
2020178909.tif 000011
【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
空気調和のための空気流が送り出される空間に居る人の体の状態を検出する検出部と、
前記検出部による検出結果であるデータを記憶する記憶部と、
前記記憶部に記憶されたデータの統計処理によって、前記空間に居る人を識別し、識別された人のうち健康管理補助の対象としてあらかじめ登録された対象ユーザについて前記記憶部に記憶されているデータを統計処理することによって、前記対象ユーザの健康状態を診断する演算部と、
前記健康状態の診断結果を送信する通信部と、
を備え、
前記演算部は、識別された対象ユーザについての現在の前記検出結果であるデータを前記識別された対象ユーザについて設定された基準値と比較することによって、前記識別された対象ユーザの健康状態を診断し、かつ、識別された人のうち前記対象ユーザ以外の人である対象外ユーザについて前記検出部によって検出されたデータに基づいて前記基準値を補正する空気調和機。
【請求項２】
前記記憶部は、前記対象外ユーザについての前記検出結果であるデータを記憶し、
前記演算部は、識別された対象外ユーザについて過去に検出されたデータが記憶されている場合、前記識別された対象外ユーザについて現在検出されたデータと前記識別された対象外ユーザについて過去に検出されたデータとに基づいて前記基準値を補正する請求項１に記載の空気調和機。
【請求項３】
前記演算部は、前記識別された対象外ユーザについての過去のデータが記憶されていない場合、前記識別された対象外ユーザについて現在検出されたデータに基づいて前記基準値を補正する請求項２に記載の空気調和機。
【請求項４】
前記演算部は、前記識別された対象ユーザについて現在検出されたデータと前記識別された対象ユーザについて過去に検出されたデータとに基づいて前記基準値を補正する請求項１から３のいずれか１つに記載の空気調和機。
【請求項５】
前記演算部は、空気調和に伴う前記識別された対象ユーザの温度分布の変化を検出した結果に基づいて前記識別された対象ユーザの発熱量を推定して、前記発熱量の推定結果に基づいて前記識別された対象ユーザの健康状態を診断する請求項１から４のいずれか１つに記載の空気調和機。
【請求項６】
前記記憶部は、前記対象ユーザの体に関する情報である基本情報を記憶する請求項１から５のいずれか１つに記載の空気調和機。
【請求項７】
空気調和のための空気流が送り出される空間に居る人の体の状態を検出する検出部と、
前記検出部による検出結果であるデータを記憶する記憶部と、
前記記憶部に記憶されたデータの統計処理によって、前記空間に居る人を識別し、識別された人のうち健康管理補助の対象としてあらかじめ登録された対象ユーザについて前記記憶部に記憶されているデータを統計処理することによって、前記対象ユーザの健康状態を診断する演算部と、
前記健康状態の診断結果を送信する通信部と、
を備え、
前記演算部は、識別された対象ユーザについての現在の前記検出結果であるデータを前記識別された対象ユーザについて設定された基準値と比較することによって、前記識別された対象ユーザの健康状態を診断し、かつ、識別された人のうち前記対象ユーザ以外の人である対象外ユーザについて前記検出部によって検出されたデータに基づいて前記基準値を補正する健康管理補助システム。
【手続補正２】
【補正対象書類名】明細書
【補正対象項目名】０００７
【補正方法】変更
【補正の内容】
【０００７】
上述した課題を解決し、目的を達成するために、本発明に係る空気調和機は、空気調和のための空気流が送り出される空間に居る人の体の状態を検出する検出部と、検出部による検出結果であるデータを記憶する記憶部と、記憶部に記憶されたデータの統計処理によって、空間に居る人を識別し、識別された人のうち健康管理補助の対象としてあらかじめ登録された対象ユーザについて記憶部に記憶されているデータを統計処理することによって、対象ユーザの健康状態を診断する演算部と、健康状態の診断結果を送信する通信部と、を備える。演算部は、識別された対象ユーザについての現在の検出結果であるデータを識別された対象ユーザについて設定された基準値と比較することによって、識別された対象ユーザの健康状態を診断し、かつ、識別された人のうち対象ユーザ以外の人である対象外ユーザについて検出部によって検出されたデータに基づいて基準値を補正する。
【手続補正３】
【補正対象書類名】明細書
【補正対象項目名】００２５
【補正方法】変更
【補正の内容】
【００２５】
一方、健康管理機能がオンである場合（ステップＳ４，Ｙｅｓ）、ステップＳ５において、制御演算部１３は、ステップＳ２において識別されたユーザの中に対象ユーザがいるか否かを判断する。記憶部１４にユーザ情報が記憶されているユーザは、空気調和機１への操作によって、対象ユーザとして登録される。空気調和機１は、ユーザによる当該登録のための操作を受け付ける。制御演算部１３は、対象ユーザとしての登録の有無に基づいて、対象ユーザか否かを判断する。ステップＳ２において識別されたユーザの中に対象ユーザがいない場合（ステップＳ５，Ｎｏ）、制御演算部１３は、健康管理の補助のためのステップＳ６以降の処理を行わず、空調制御のみを行う。
【国際調査報告】
2020178909.tif 000012
2020178909.tif 000013